(57)【要約】【課題】本発明は、特に簡単な構造によって屋根部分の外観が損なわれることのないゴミ置き場を提供することをその課題とする。【解決手段】コンクリートブロックａを積み上げたブロック壁１を四方に配し、ブロック壁１の正面壁１ａに開口部を形成し、上記ブロック壁の上部に屋根桁７を回し、屋根桁７の上部に束柱１５を介して屋根材１８を傾斜させて取りつけ、上記屋根材１８の傾斜下側の端部に沿って雨樋１９を配置し、この雨樋１９を対応する屋根桁７の外側に固定するとともに、上記屋根材１８と屋根桁７と雨樋１９の周囲を化粧カバー３で囲繞したことを特徴とする。【選択図】図１
2005290827.tif 000002
【特許請求の範囲】
【請求項１】
コンクリートブロックを積み上げたブロック壁を四方に配し、ブロック壁の正面壁に開口部を形成し、上記ブロック壁の上部に屋根桁を回し、屋根桁の上部に束柱を介して屋根材を傾斜させて取りつけ、上記屋根材の傾斜下側の端部に沿って雨樋を配置し、この雨樋を対応する屋根桁の外側に固定するとともに、上記屋根材と屋根桁と雨樋の周囲を化粧カバーで囲繞したことを特徴とするゴミ置き場。
【請求項２】
前記屋根材の傾斜下側の端部を前記ブロック壁の側面壁の面よりも内側に配置したことを特徴とする、前記請求項１記載のゴミ置き場。
【発明の詳細な説明】
【技術分野】
【０００１】
本発明は、多くのゴミを一時保管しておくためのゴミ置き場に関するものである。
【背景技術】
【０００２】
一般に、集合住宅などには、各戸から持ち出されたたくさんのゴミを集積しておくためのゴミ置き場が設置されている。このようなゴミ置き場は、コンクリートブロックを積み上げたブロック壁を四方に配し、正面壁に開口部を形成しただけの簡単な構造のものが多く、ゴミ収集車が来るまで一時的に保管するだけであるから、屋根のないタイプのものもあった。これに対し、屋根のあるタイプでは、屋根材のほか屋根に降った雨水を排水するために雨樋を設けなければならない。
【０００３】
ところで、屋根材と雨樋を設けると、屋根材の端部や雨樋が外部に露出するので、外観が損なわれるおそれがあり、好ましくなかった。そのため、屋根の外周に化粧カバーを回し、その内側に雨樋を設けるものが知られている。
【０００４】
【特許文献１】特開２００１−３３５１０６号公報
【発明の開示】
【発明が解決しようとする課題】
【０００５】
しかしながら、この場合、雨樋の構造は複雑になり、コストが高くなるという問題があった。
【０００６】
本発明は上記問題点を解消し、特に簡単な構造によって屋根部分の外観が損なわれることのないゴミ置き場を提供することをその課題とする。
【課題を解決するための手段】
【０００７】
前記課題を解決するため、本発明に係るゴミ置き場は、コンクリートブロックを積み上げたブロック壁を四方に配し、ブロック壁の正面壁に開口部を形成し、上記ブロック壁の上部に屋根桁を回し、屋根桁の上部に束柱を介して屋根材を傾斜させて取りつけ、上記屋根材の傾斜下側の端部に沿って雨樋を配置し、この雨樋を対応する屋根桁の外側に固定するとともに、上記屋根材と屋根桁と雨樋の周囲を化粧カバーで囲繞したことを特徴とする。
【０００８】
なお、前記屋根材の傾斜下側の端部を前記ブロック壁の側面壁の面よりも内側に配置するのが好ましい。
【発明の効果】
【０００９】
請求項１に係る発明によれば、屋根材の傾斜下側の端部に沿って設けられた雨樋を対応する屋根桁の外側に固定するとともに、上記屋根材と屋根桁と雨樋の周囲を化粧カバーで囲繞したので、屋根材の端部も雨樋も化粧カバーで覆われ、外部からは見えないので、簡単な構造によって屋根部分の外観が損なわれることのないゴミ置き場を得ることができる。
【００１０】
請求項２に係る発明によれば、化粧カバーのブロック壁からの突出度合いが小さくて済む。
【発明を実施するための最良の形態】
【００１１】
図１はゴミ置き場の正面図であり、図２はその平面図で、このゴミ置き場は、コンクリートブロックａを積み上げたブロック壁１を四方に配し、このブロック壁１の正面壁１ａに開口部を形成し、開口部にドア２を開閉自在に設け、左右の一側から他側に片流れ状に傾斜する屋根材を配置し、さらに屋根部の周囲に化粧カバー３を施したものである。
【００１２】
正面壁１ａの前には、２本の柱４に支持されたドア２が開閉自在に支持されている。
【００１３】
屋根は次のように構成されている。
【００１４】
すなわち、図３及び図４に示されるように、ブロック壁１の上面には金属製で上開口のコ字形下地材６が固定されている。下地材６の上部には金属製の屋根桁７が配置されている。屋根桁７の下面には係止縁８が形成され、下部両側には脚縁９が形成されている。また、屋根桁７の上部中央には２個の平行な起立縁１０が形成されている。屋根桁７の係止縁８は下地材６の一方の側縁１１に係止され、脚縁９は下地材６の他方の側縁１２にネジ止め固定されている。これにより、屋根桁７はブロック壁１の上部に沿って四方に配されている。また、正面壁１ａと背面壁１ｃの屋根桁７ａには連結金具１４を介して中間屋根桁７ｃが連結されている。
【００１５】
また、屋根の傾斜上側の屋根桁７ａ、中間屋根桁７ｃ及び屋根の傾斜下側の屋根桁７ｂには、それぞれ順次高さが低くなる束柱１５が立てられている。束柱１５の下部は上記屋根桁７の上面に形成された起立縁２２間に納められ、ネジ止めされている。以上の構成を平面でみれば図５に示されたとおりである。
【００１６】
次に、高さが同じ束柱１５の上部には母屋１６が架設されている。母屋１６の下面にも、上記屋根桁７の下面の起立縁２２に対応するように平行な垂下縁１７が形成され、束柱１５の上部は上記母屋１６の垂下縁１７間に納められ、ネジ止めされている。
【００１７】
なお、上記屋根桁７、束柱１５及び母屋１６はそれぞれアルミニウムなどの押出型材によって構成されている。
【００１８】
次に、母屋１６上に屋根材１８がビスにより固定されている。屋根材１８の傾斜下側の端部は側面壁１ｂの外面よりも内側に位置している。屋根材１８は図４に示されるように、山部と谷部とが交互に連続する折板によって構成されている。
【００１９】
ところで、屋根材１８の傾斜下側の端部に沿って雨樋１９が設けられている。図６に示されるように、雨樋１９の下部両側には固定縁２０が形成され、内側の固定縁２０は傾斜下側の端部１８ａの屋根桁７の外側面にネジ止め固定されている。雨樋１９の上部は屋根材１８の傾斜下側の端部１８ａに開口している。また、雨樋１９の底部には排水口が形成され、排水口は側面壁１ｂに沿って取り付けられた縦樋２１に連続するように設けられている。
【００２０】
次に、屋根材１８と屋根桁７と雨樋１９とは化粧カバー３で囲繞されている。すなわち、化粧カバー３は側面カバー３ａと正面カバー３ｂと背面カバー３ｃ(図２参照)とを連結してなり、屋根材１８の傾斜上側の端部の側面カバー３ａは、屋根桁７の外側面と屋根材１８の端部上面にネジ止め固定され、正面カバー３ｂと背面カバーは屋根材１８の端縁と屋根桁７のビスホールにネジ止め固定されている。また、屋根材１８の傾斜下側に設けられた側面カバー３ａは、雨樋１９の外側面にネジ止め固定されている。
【００２１】
ゴミ置き場は上述のように構成されているので、利用者はドア２を開けて持参したゴミ袋を内部に置き、帰りにはドア２を閉めればよい。屋根材１８は片流れ状に配置されているので、雨は雨樋１９にスムーズに案内されて排水処理される。
【００２２】
雨樋１９を対応する屋根桁７の外側に固定するとともに、上記屋根材１８と屋根桁７と雨樋１９の周囲を化粧カバー３で囲繞したので、屋根材１８の端部も雨樋１９も化粧カバー３で覆われ、外部に露出することがない。したがって、簡単な構造によって屋根部分の外観が損なわれることのないゴミ置き場を得ることができる。
【００２３】
なお、屋根材１８の傾斜下側の端部はブロック壁の側面壁１ｂの面よりも内側に配置し、その下側に雨樋１９が設けられているので、側面壁１ｂは図２に示されるように、屋根材１８と雨樋１９で覆われることになるので、雨水が側面壁１ｂにかかることがないほか、化粧カバーの側面カバー３ａの側面壁１ｂからの突出度合いを最小限に抑えることができるので、外観が損なわれない。
【００２４】
また、屋根材を取りつけるにあたっては、ブロック壁の上にコンクリートやモルタルを載せて枠を作り、その上に母屋を懸架して屋根材を固定するという方式もあるが、この方式では養生が必要となり、施工に時間がかかるという問題がある。しかし、ブロック壁の上に金属製の桁材を取りつける方式であるから、施工期間を短縮することができる。
【図面の簡単な説明】
【００２５】
【図１】本発明に係るゴミ置き場の正面図である。
【図２】上記ゴミ置き場の平面図である。
【図３】図１のＸ−Ｘ線上の断面図である。
【図４】図１のＹ−Ｙ線上の断面図である。
【図５】屋根材と母屋を除いたゴミ置き場の平面図である。
【図６】雨樋部分の拡大断面図
【符号の説明】
【００２６】
１  ブロック壁
３  化粧カバー
１５  束柱
１８  屋根材
１９  雨樋
【図１】
2005290827.tif 000003
【図２】
2005290827.tif 000004
【図３】
2005290827.tif 000005
【図４】
2005290827.tif 000006
【図５】
2005290827.tif 000007
【図６】
2005290827.tif 000008